(57)【要約】      （修正有）【課題】ガーディニングビギナーでも簡単にレベルの高い寄せ植えをすることができる寄せ植え配置プレートを提供する。【解決手段】平面上に、複数の鉢装着孔１４が予め寄せ植えコーディネートされた状態で設けられているプレート本体１２と、プレート本体１２の下面に、下方に突出するように設けられた支持脚１６とを備えている。各鉢装着孔１４の開口面は、それぞれ寄せ植えコーディネートにより特定された植木鉢の配置位置を表す平面形状とされている。【選択図】図１
0003162318.tif 000002
【実用新案登録請求の範囲】
【請求項１】
平面上に、複数の鉢装着孔が予め寄せ植えコーディネートされた状態で設けられているプレート本体と、
前記プレート本体の下面に、下方に突出するように設けられた支持脚とを備え、
前記複数の鉢装着孔は、それぞれ前記寄せ植えコーディネートにより特定された植木鉢の定まった配置位置に設けられ、かつそれぞれ前記寄せ植えコーディネートにより特定された植木鉢の種類により異なる平面形状の開口面が設けられていることを特徴とする寄せ植え配置プレート。
【請求項２】
請求項１に記載の寄せ植え配置プレートにおいて、
前記プレート本体の外縁部を市販のプランターの開口面に合わせた形状とし、前記プレート本体を、前記プランターの開口面に嵌合して前記支持脚を前記プランター内に差し込んで前記プランターに固定したことを特徴とする寄せ植え配置プレート。
【請求項３】
請求項１又は２に記載の寄せ植え配置プレートにおいて、
前記植木鉢は、前記寄せ植えコーディネートにより、植えられた草花の種類毎に外観が異なる構成とされ、かつ各種の前記鉢装着孔のいずれかに挿置できる構造を有するものであることを特徴とする寄せ植え配置プレート。
【請求項４】
請求項１乃至３のいずれかに記載の寄せ植え配置プレートにおいて、
前記プレート本体の平面上に、各種形状の前記鉢装着孔と共に多数の通気孔が設けられていることを特徴とする寄せ植え配置プレート。
【請求項５】
請求項１乃至３のいずれかに記載の寄せ植え配置プレートにおいて、
前記プレート本体の平面形状がコ字形又はＬ字形とされていることを特徴とする寄せ植え配置プレート。
【考案の詳細な説明】
【技術分野】
【０００１】
本考案は、プランターあるいはプランター以外の花壇や植え込み場所の土面に寄せ植え配置計画を行うために使用する寄せ植え配置プレートに関する。
【背景技術】
【０００２】
従来、ベランダや家庭菜園等で寄せ植えをする場合、園芸店等から各々好きな草花や野菜苗を単品で買ってきて自分好みで寄せ植えを行っている（特許文献１参照）。
【０００３】
ところで、寄せ植えを楽しむ中で本格的な寄せ植えを行うには、草花の種類等によって対応が異なってくるので専門的な知識を必要とする。草花栽培についての生半可な知識では本格的な寄せ植えを行うのは困難であり、素人では失敗が多い。
【０００４】
すなわち、寄せ植えする草花の種類により、開花時期、草花どうしの相性、土や生育環境が異なるもの、半日日陰又は日当たりの良い場所を好むもの、湿気のある場所を好むもの、1年草・多年草・宿根草と種類が違い、移植を嫌うものまである。また開花時期がばらばらなものを選んでしまえば散漫な印象のものになってしまうし、どのくらいの大きさになるのかを予測して間隔を考えて寄せ植えすることも難しい。
【０００５】
また、お互いの花の色を引き立て合うようにすること、後方に高い丈のものと手前に低いものとをそれぞれ配置すること、草花との相性の良い肥料を判断すること等の条件がある。
【先行技術文献】
【特許文献】
【０００６】
【特許文献１】実開平６−７０５３７号公報
【考案の概要】
【考案が解決しようとする課題】
【０００７】
ホームセンター等の園芸店では、台の上にあらゆる草花を仕入れのまま種類ごとにおいて、各々、好きな花や苗を選んでもらうという放置販売方法が行われている。このような実状において、上記寄せ植え条件を考慮して本格的に寄せ植えをしようとすれば、外来種が氾濫している中、寄せ植えしようと園芸店等の売り場へ行つてもガーディニングビギナーには要領が全く分からない。園芸店では諸般の事情から寄せ植え技術や植物の相性まで詳しく説明できる人材が少なく、相談しても明確な回答を得ることは期待できないという課題がある。
【０００８】
本考案はこのような課題を解消するためになされたもので、ガーディニングビギナーでも売り場で専門知識を自ら学び体験することでベランダや家庭菜園等で簡単にレベルの高い寄せ植えをすることができる寄せ植え配置プレートを提供することを目的とする。
【課題を解決するための手段】
【０００９】
以下の構成はそれぞれ上記の課題を解決するための手段である。
〈構成１〉
平面上に、複数の鉢装着孔が予め寄せ植えコーディネートされた状態で設けられているプレート本体と、前記プレート本体の下面に、下方に突出するように設けられた支持脚とを備え、前記複数の鉢装着孔は、それぞれ前記寄せ植えコーディネートにより特定された植木鉢の定まった配置位置に設けられ、かつそれぞれ前記寄せ植えコーディネートにより特定された植木鉢の種類により異なる平面形状の開口面が設けられている。
【００１０】
〈構成２〉
構成１に記載の寄せ植え配置プレートにおいて、前記プレート本体の外縁部を市販のプランターの開口面に合わせた形状とし、前記プレート本体を、前記プランターの開口面に嵌合して前記支持脚を前記プランター内に差し込んで前記プランターに固定したことを特徴とする寄せ植え配置プレート。
【００１１】
〈構成３〉
構成１又は２に記載の寄せ植え配置プレートにおいて、前記植木鉢は、前記寄せ植えコーディネートにより、植えられた草花の種類毎に外観が異なる構成とされ、かつ各種の前記鉢装着孔のいずれかに挿置できる構造を有するものであることを特徴とする寄せ植え配置プレート。
【００１２】
〈構成４〉
構成１乃至３のいずれかに記載の寄せ植え配置プレートにおいて、前記プレート本体の平面上に、各種形状の前記鉢装着孔と共に多数の通気孔が設けられていることを特徴とする寄せ植え配置プレート。
【００１３】
〈構成５〉
構成１乃至３のいずれかに記載の寄せ植え配置プレートにおいて、前記プレート本体の平面形状がコ字形又はＬ字形とされていることを特徴とする寄せ植え配置プレート。
【考案の効果】
【００１４】
〈構成１の効果〉
予め寄せ植えコーディネートされた状態で設けられている鉢装着孔に合わせて予め寄せ植えコーディネートされた所定の植木鉢を配置するだけで、レベルの高い寄せ植えをすることができる。したがって、ガーデニングビギナーでも簡単に本格的な寄せ植えを楽しむことができる。また、寄せ植えコーディネートの内容を用紙等に印刷し、これを説明書として売り場に掲示あるいは寄せ植え見本を展示することにより、使用者の専門知識を促進させマニュアルに従って草花を探す体験を通す事により売り場での楽しみを増大させることができる。
〈構成２の効果〉
プレート本体を市販のプランターに配設することにより、ベランダ等の屋内の任意の場所で寄せ植えを楽しむことができる。
〈構成３の効果〉
寄せ植えコーディネートにより予め決められた植木鉢と鉢装着孔との組み合わせを適宜選択することにより、素人でも失敗しない寄せ植えを簡単に楽しむことができる。
〈構成４の効果〉
多数の通気孔を設けることにより植木鉢の草花をより自然状態で栽培できる。
〈構成５の効果〉
大型のプランター等に設置して使用した場合、各種のバリエーションの寄せ植えを構成することができる。
【図面の簡単な説明】
【００１５】
【図１】実施例１の寄せ植え配置プレート１０を示す平面図である。
【図２】同正面図である。
【図３】同寄せ植え配置プレート１０で使用する各種の植木鉢を示す斜視図である。
【図４】同寄せ植え配置プレート１０の使用状態を示す説明図である。
【図５】実施例２の寄せ植え配置プレート１０１を示す平面図である。
【図６】同正面図である。
【図７】実施例３の寄せ植え配置プレート１０２とその使用状態とを示す平面図である。
【図８】同寄せ植え配置プレート１０２の具体的な使用状態を示す正面図である。
【考案を実施するための形態】
【００１６】
以下、本考案の実施の形態を実施例毎に詳細に説明する。
【実施例１】
【００１７】
図１は実施例１の寄せ植え配置プレート１０を示す平面図、図２は同正面図、図３は同寄せ植え配置プレート１０で使用する各種の植木鉢を示す斜視図、図４は同寄せ植え配置プレート１０の使用状態を示す説明図である。
【００１８】
寄せ植え配置プレート１０は、図１、図２に示されるように、平面長方形のプレート本体１２と、このプレート本体１２の下面周縁部に、下方に突出するように設けられた６本の支持脚１６とを備えている。
【００１９】
プレート本体１２の平面上に、各種形状の開口面を有する８個の鉢装着孔１４と共に多数の通気孔２２が設けられている。プレート本体１２と８個の鉢装着孔１４と多数の通気孔２２とはプラスチックにより一体成形により構成されている。
【００２０】
このとき、通気孔２２を構成する部分をメッシュパネル状とすることにより、メッシュパネルが図示のように格子状の網目を形成することから多数の通気孔２２が形成される。多数の通気孔２２を設けることにより植木鉢１８の草花をより自然状態で栽培できる。
【００２１】
各鉢装着孔１４には図３に示す各種形状の植木鉢１８が挿置される。図１に示した鉢装着孔１４の中に、各種形状毎に１〜５の数字を表示しているが、これらの数字は説明の便宜上付したもので、実際の製品には表示されなくともよい。
【００２２】
図１に示す８個の鉢装着孔１４には、開口面の平面形状が同じものと異なるものとがある。円形１と三角形２が１個ずつ、四角形３と楕円形４とひし形５が２個ずつ設けられている。これらの鉢装着孔１４には、鉢装着孔１４の各種の開口面形状に合致するように形成された各種の植木鉢１８が挿置される。
【００２３】
すなわち、８個の鉢装着孔１４は、それぞれ寄せ植えコーディネートにより特定された植木鉢１８の定まった配置位置に設けられ、かつ開口面がそれぞれ寄せ植えコーディネートにより特定された植木鉢１８の種類により異なる平面形状とされている。
【００２４】
ここで、寄せ植えコーディネートとは、草花の開花時期、草花どうしの相性、日照条件等を考慮して専門的な見地から寄せ植えする草花の組み合わせやレイアウト等を纏めたものである。寄せ植えコーディネートの内容を用紙等に印刷し、これを説明書として掲示あるいは寄せ植え見本を展示することが好ましい。
【００２５】
植木鉢１８は、寄せ植えコーディネートにより、植えられた草花の種類毎に外観が異なる構成とされ、かつ各種の鉢装着孔１４のいずれかに挿置できる構造を有するものである。
【００２６】
図３は各種の鉢装着孔１４にそれぞれ挿置される各種の植木鉢を示している。図３（ａ）の植木鉢は横断面が円形であり、図１の円形１の鉢装着孔に挿置される。図３（ｂ）の植木鉢は横断面が三角形であり、図１の三角形２の鉢装着孔に挿置される。図３（ｃ）の植木鉢は横断面が四角形であり、図１の四角形３の鉢装着孔に挿置される。図３（ｄ）の植木鉢は横断面が楕円形であり、図１の楕円形４の鉢装着孔に挿置される。図３（ｅ）の植木鉢は横断面がひし形であり、図１のひし形５の鉢装着孔に挿置される。なお、符号１９は透孔を示している。
【００２７】
図示しないが、各種の植木鉢１８には、それぞれ、予め寄せ植えコーディネートにより決めた草花が植えられているものとする。例えば、寄せ植えコーディネートの一例として、図３の（ａ）の植木鉢にスィートアリッサム、（ｂ）の植木鉢にマーガレット、（ｃ）の植木鉢にマリーゴールド、（ｄ）の植木鉢にロベリア、（ｅ）の植木鉢にゼラニウムをそれぞれ植えておくものとする。
【００２８】
これらの草花の組み合わせの場合の最良の配置やバランスを、予め寄せ植えコーディネートにより決めて、プレート本体１２に所定の鉢装着孔１４が設けられている。したがって、これらの草花の植木鉢１８を、予め寄せ植えコーディネートされたプレート本体１２の各鉢装着孔１４に挿置するだけでレベルの高い寄せ植えをすることができる。
【００２９】
すなわち、寄せ植えコーディネートにより予め決められた植木鉢１８と鉢装着孔１４との組み合わせを適宜選択することにより、レベルの高い寄せ植えを季節毎に寄せ植え植物の種類をそれぞれシリーズ化することで永年楽しむことができる。
【００３０】
このとき、すべての鉢装着孔１４に所定の植木鉢をすべて挿置する必要はない。１つのプレート本体１２に、徐々に所定の植木鉢を選択し追加してもよい。これも寄せ植えの楽しみである。
【００３１】
各種の植木鉢１８を、原色カラーを基調としたプラスチック、あるいは通気性、保水性、保肥性が高く、有機酸を含むピートモスやウッドパルプにより製作してもよい。原色カラーを基調としたプラスチック製の植木鉢は、学校・老人ホームなどで寄せ植えを楽しむ教材として活用し、子供・お年寄り向けが主である。寄せ植え使用後、屋内ミニ観葉植物のインテリア小物鉢に再利用できるものとする。
【００３２】
寄せ植え配置プレート１０は、図４に示されるように市販のプランターに支持脚１６を差し込み固定して使用する方法があるが、これに限定されないで数多くの寄せ植え配置計画をすることができる。市販のプランター以外に、独自に製作した箱体に設置してもよく、また、自宅の花壇、植え込み場所の土面に支持脚１６を差し込み固定することで全体の配置計画も容易である。
【００３３】
図４は寄せ植え配置プレート１０の使用状態を示している。図４に示すように、プレート本体１２の外縁部を市販のプランター２０の開口面に合わせた形状とする。このプレート本体１２を、プランター２０の開口面に嵌合して支持脚１６をプランター２０内に差し込んでプランター２０に固定している。
【００３４】
プレート本体１２を市販のプランター２０に配設することにより、ベランダ等の屋内の任意の場所で寄せ植えを楽しむことができる。
【実施例２】
【００３５】
図５は実施例２の寄せ植え配置プレート１０１を示す平面図、図６は同正面図である。なお、図５、図６には図１、図２と同一部分に同一符号を付して重複説明を省略する。
【００３６】
寄せ植え配置プレート１０１は、図５に示されるようにプレート本体１２１の平面形状が平面円形とされ、４本の支持脚１６を設けたものである。プレート本体１２１には、図１と同様に数種類の鉢装着孔１４がそれぞれ寄せ植えコーディネートにより特定された植木鉢１８の定まった配置位置に設けられている。
【００３７】
例えば、各種の鉢装着孔１４には、予め寄せ植えコーディネートにより決めた草花として、図５の１にはチューリップ、２にはパンジー、３にはデージーがそれぞれ植木鉢を介して植えられる。
【００３８】
プレート本体１２１の平面形状を平面円形とすることにより、図１の長方形のプレート本体１２と異なる雰囲気の寄せ植えを楽しむことができる。
【実施例３】
【００３９】
図７は実施例３の寄せ植え配置プレート１０２とその使用状態とを示す平面図、図８は同寄せ植え配置プレート１０２の具体的な使用状態を示す正面図である。なお、図７、図８には図１、図２と同一部分に同一符号を付して重複説明を省略する。
【００４０】
寄せ植え配置プレート１０２は、プレート本体１２２の平面形状をコ字形としたものである。プレート本体１２２には、図１と同様に数種類の鉢装着孔１４が、それぞれ寄せ植えコーディネートにより特定された配置位置に設けられている。
【００４１】
この実施例の寄せ植え配置プレート１０２は、市販のプランターではなく、独自に製作したもので、内部に市販の飼育ケース等を収納できる箱体２４に設置されて使用される。例えば、この箱体２４は、底面と周りの４側面を、メッシュ鋼材にカチオン塗装を施したメッシュパネルで構成し、底面と４側面の内側に、椰子の実繊維２６を敷き詰めて外観が整えられている。上面の２箇所に持ち運び用の取手３０が設けられている。
【００４２】
箱体２４内の空いたスペースに、図８に示すように鈴虫・カブト虫などの昆虫を収容できる、透明プラスチック製の昆虫飼育ケース２８、あるいはハムスターなどの小動物の飼育網箱（図示せず）が挿脱自在に収納され、上面に開口面コ字形のプレート本体１２２を配置している。鈴虫・カブト虫などの昆虫飼育ケース２８は箱体２４の一側面と上面から眺めることができる。屋内用ミニ観葉植物・多肉植物などの寄せ植えを主として屋内飼育ケース兼、屋内観葉植物の鑑賞用として使用する。
【００４３】
図示を省略したが、プレート本体１２２の平面形状をＬ字形としてもよく、この場合にも図７、図８と同様の箱体に取り付けて使用できるようにする。大型の箱体に設置して使用した場合、各種のバリエーションの寄せ植えを構成することができる。
【符号の説明】
【００４４】
１０  寄せ植え配置プレート
１２  プレート本体
１４  鉢装着孔
１６  支持脚
１８  植木鉢
１９  透孔
２０  プランター
２２  通気孔
２４  箱体
２６  椰子の実繊維
２８  鈴虫・カブト虫などの昆虫飼育ケース
３０  取手
１０１  実施例２の寄せ植え配置プレート
１０２  実施例３の寄せ植え配置プレート
１２１  実施例２のプレート本体
１２２  実施例３のプレート本体
【図１】
0003162318.tif 000003
【図２】
0003162318.tif 000004
【図３】
0003162318.tif 000005
【図４】
0003162318.tif 000006
【図５】
0003162318.tif 000007
【図６】
0003162318.tif 000008
【図７】
0003162318.tif 000009
【図８】
0003162318.tif 000010